(57)【要約】      （修正有）【課題】保持器を用いて非脱落形式としながら、総ころ形式と同程度のころ本数を有することを可能にし、滑り軸受や他のころ軸受の各種の課題を解消して、燃料ポンプのプランジャ駆動機構に使用するのに適したころ軸受を提供する。【解決手段】  外輪1と、この外輪１の転走面１ａに接する複数のころ２と、リング状の保持器３とを有する。保持器３は円周方向に並ぶ複数のポケット４を有する。保持器３の各ポケット４間の柱部５が各ころ２間で前記ころ２を内径側から保持する。前記柱部５の外径ｄ３ｏを、ころ配列のピッチ円直径ＰＣＤよりも小径とする。この燃料ポンプ用ころ軸受１０は、プランジャの先端に設けられた軸の外周面に前記各ころ２が転接し、前記外輪２に前記回転カムの周面に転接するものとする。【選択図】図３
2007270628.tif 000002
【特許請求の範囲】
【請求項１】
外輪と、この外輪の転走面に接する複数のころと、リング状の保持器とを有し、前記保持器は円周方向に並ぶ複数のポケットを有するころ軸受において、
前記保持器の各ポケット間の柱部が各ころ間で前記ころを内径側から保持し、前記柱部の外径が、ころ配列のピッチ円直径よりも小径であり、
偏心カムでプランジャを往復動させてこのプランジャをポンプ室に出入りさせることで燃料を送り出す燃料ポンプにおける、前記偏心カムとプランジャとの間に使用され、前記各ころが偏心カムの外周面に転接し、前記外輪に前記プランジャの端部を当接させるものであることを特徴とする燃料ポンプ用ころ軸受。
【請求項２】
外輪と、この外輪の転走面に接する複数のころと、リング状の保持器とを有し、前記保持器は円周方向に並ぶ複数のポケットを有するころ軸受において、
前記保持器の各ポケット間の柱部が各ころ間で前記ころを内径側から保持し、前記柱部の外径が、ころ配列のピッチ円直径よりも小径であり、
回転カムでプランジャを往復動させてこのプランジャをポンプ室に出入りさせることで燃料を送り出す燃料ポンプにおける、前記偏心カムとプランジャとの間に使用され、前記プランジャの先端に設けられた軸の外周面に前記各ころが転接し、前記外輪に前記回転カムの周面に転接するものであることを特徴とする燃料ポンプ用ころ軸受。
【請求項３】
請求項１または請求項２において、前記保持器の柱部の横断面形状を、内径部よりも外径側の部分が外径側へ先狭まりとなる形状とした燃料ポンプ用ころ軸受。
【請求項４】
請求項１ないし請求項３のいずれか１項において、前記保持器の外径面の縁部を、テーパ状または断面円弧状の先狭まり形状とした燃料ポンプ用ころ軸受。
【請求項５】
請求項１ないし請求項４のいずれか１項において、前記保持器を合成樹脂製とした燃料ポンプ用ころ軸受。
【請求項６】
請求項５において、前記保持器の合成樹脂を、非強化のもの、または強化繊維を３０ｗｔ％以下添付したものとした燃料ポンプ用ころ軸受。
【請求項７】
請求項１ないし請求項６のいずれか１項において、ころ本数を総ころ形式としたものと同じか、または２本以下の本数だけ少なくした燃料ポンプ用ころ軸受。
【請求項８】
請求項１ないし請求項７のいずれか１項において、前記保持器の内径寸法を、ころ配列の内接円径の最大径よりも０．１mm以上大きくした燃料ポンプ用ころ軸受。
【請求項９】
請求項１ないし請求項８のいずれか１項において、前記保持器の外径寸法を、ころ配列のピッチ円直径よりも０．１mm以上小さくした燃料ポンプ用ころ軸受。
【発明の詳細な説明】
【技術分野】
【０００１】
この発明は、プランジャを往復動させてこのプランジャをポンプ室に出入りさせることで燃料を送り出す燃料ポンプのプランジャ駆動機構に使用される燃料ポンプ用軸受に関する。
【背景技術】
【０００２】
内燃機関の燃料供給装置等に用いられる燃料ポンプに、プランジャを往復動させてこのプランジャをポンプ室に出入りさせることで燃料を送り出す形式のものがある。この形式の燃料ポンプのプランジャ駆動機構は、偏心カムを使用するもの（例えば特許文献１）と、回転カムを使用するもの（例えば特許文献２）とに分けられる。
【０００３】
図６は偏心カムを使用するプランジャ駆動機構を示す。ケーシング２０内に滑り軸受２１により駆動軸２２が回転自在に支持され、その駆動軸２２に偏心カム２３が一体に設けられている。偏心カム２３の外周には滑り軸受２６を介してカムリング２５（軸受の外輪に相当）が嵌合しており、このカムリング２５に、プランジャ２４のポンプ室と反対側の端面が当接している。この構成により、駆動軸２２と共に偏心カム２３が回転すると、プランジャ２４が往復動する。
【０００４】
図７は回転カムを使用するプランジャ駆動機構を示す。ケーシング３０内に滑り軸受３１により駆動軸３２が回転自在に支持され、その駆動軸３２に一対の回転カム３３が一体に設けられている。一方、プランジャ３４のポンプ室と反対側の端部には、駆動軸３２と平行なローラ軸３５に滑り軸受３６を介して回転自在に支持されたローラ３７（軸受の外輪に相当）が設けられ、このローラ３７が回転カム３３の外周面に当接している。この構成により、駆動軸３２と共に回転カム３３が回転すると、プランジャ３４が往復動する。なお、この図示例は、回転カム３３とプランジャ３４の組合せを、互いに位相を１８０度異ならせて２組設けたものとしてある。
【０００５】
これら燃料ポンプのプランジャ駆動機構に使用される軸受２６，３６は、その外輪２５，２７の外径面にプランジャ２４または回転カム３３からの荷重を受けながら回転するため、大きな外輪強度を有する必要がある。この理由から、上記軸受としては、図６、図７のように、主に滑り軸受が使用されていた。
【０００６】
ころ軸受に限れば、軸受外径が限られた大きさで、大きな負荷容量が求められる用途では、総ころ軸受が用いられることが多い。総ころ軸受は、ころ間に保持器の柱部が介在しないため、保持器付きの軸受に比べてころ本数を多くでき、負荷容量を大きくすることができるからである。
【０００７】
しかし、総ころ軸受では、保持器がないため機器への組み込み前の取扱時にころが脱落する。このため、ころを非脱落とするための提案が種々なされており、例えばころの両端に尖り部を設け、プレス製の外輪の鍔で尖り部を抱え込むようにしたものがある（例えば特許文献３）。また、熱固化性のグリースを充填することにより、総ころ軸受を非脱落とするものもある（例えば特許文献４）。
【０００８】
【特許文献１】特開２００３−４９７４５号公報
【特許文献２】特開２００１−２６３１９８号公報
【特許文献３】特開平６−３０７４５６号公報
【特許文献４】特開平７−２３８９４０号公報
【発明の開示】
【発明が解決しようとする課題】
【０００９】
上述したように、燃料ポンプのプランジャ駆動機構には滑り軸受が使用されていた。しかし、滑り軸受は外輪強度を大きくできるが、回転時のフリクションが大きいという難点がある。フリクションが大きいと、モータ等の動力源の容量を大きくしなければならない。また、滑り軸受にコーティング膜剥がれや摩耗が生じると、ガタツキの発生、ポンプ性能の低下、異音や振動の発生といった不具合が生じる。これらのことから、燃料ポンプのプランジャ駆動機構の軸受を転がり化、例えばころ軸受とすることが求められている。
【００１０】
従来のころ軸受には、次のような課題があった。
保持器付き針状ころ軸受は、ころ間に保持器の柱部が入るので、総ころ軸受と比べてころ本数が少なく、定格荷重が総ころ軸受よりも小さくなる。また、ころところの間隔が大きいので、十分な外輪強度を確保することが困難である。
【００１１】
総ころ軸受は、保持器付き針状ころ軸受よりも定格荷重が大きく、ころところの間隔も小さいので外輪強度も大きい。しかし、脱落タイプの総ころ軸受に関しては、前述したように、機器への組み込み前の取扱時にころが脱落するため、組立性が悪い。
【００１２】
一方、非脱落タイプの総ころ軸受に関しては、Ｃ端面ころを使用するもの（例えば特許文献３）の場合、以下の課題がある。
・  ころ端面を尖り形状とするため、Ｆ端面やＡ端面のころと比べて高価となる。
・  ころ端面を尖り形状とするため、誘起スラスト力が大きい使用方法では、ころ端面の消耗が顕著となる。
なお、上記文中に記載したころの端面形状はJIS B 1506に示されたものであって、Ｃ端面は尖り形、Ｆ端面は平面形、Ａ端面は丸面形のことをいう。
【００１３】
また、熱固化性グリースを充填したもの（例えば特許文献４）の場合、以下の課題がある。
・  熱固化性グリースの使用温度範囲内に軸受の使用温度が限られる。
・  軸受の潤滑手段が限られる（グリースの種類、油の温度が限定される）。
・  フリクションが大きい。
【００１４】
上記記述内容を含め、燃料ポンプのプランジャ駆動機構に使用される軸受については、総じて以下のことが言える。
（１）  滑り軸受（コーティングの有無関係なし）は転がり軸受に比べてフリクションが大きい。燃料ポンプのプランジャ駆動機構に使用される軸受のフリクションが大きいと、動力源（モータや油圧）の必要容量も大きくなる。
（２）  滑り軸受（樹脂コーティング品）は、コーティング膜剥がれや摩耗が発生すると、ガタツキが生じる。
（３）  燃料ポンプのプランジャ駆動機構に使用される軸受は、プランジャから軸受外輪に直接大きな荷重が作用するため、大きな外輪強度が必要とされる。不足した場合、外輪が割損し、燃料ポンプの機能が損なわれる。保持器付き針状ころ軸受は同じサイズの総ころ軸受と比べて外輪強度が小さい。
（４）  燃料ポンプのプランジャ駆動機構に使用される軸受は、プランジャから大きな荷重が作用するため、軸受には大きな定格荷重（耐荷重性能）が必要とされる。不足した場合、転走面や転動面に圧痕が生じ、作動時に異音や振動が発生する。保持器付き針状ころ軸受は同じサイズの総ころ軸受と比べて定格容量が小さい。
（５）  装置のコンパクト化、軽量化のために、軸受サイズを小さくする必要がある。保持器付き針状ころ軸受は同じ定格荷重の総ころ軸受と比べてサイズが大きい。
（６）  軸受の偏心カムやローラ軸への組立性も考慮しなければならない。同じサイズなら定格荷重が大きくとれる脱落タイプ総ころ軸受は、ころが脱落するので組立性が悪い。
（７）  Ｃ端面ころを使用する非脱落タイプの総ころ軸受は、ころ端面を尖り形状とするため、Ｆ端面やＡ端面のころと比べ高価となる。ころ端面を尖り形状とするため、誘起スラスト力が大きい使用方法では、ころ端面の摩耗が顕著となる。尖り形状部分の寸法分だけ、ころの有効長さが短くなる。
（８）  熱固化性グリースを充填した非脱落タイプの総ころ軸受は、熱固化性グリースの使用温度範囲内に軸受の使用温度が限られる。また、軸受の潤滑手段が限られる（グリースの種類、油の種類が限定される）。さらに、フリクションが大きい。偏心カム外周部の軸受のフリクションが大きいと、動力源（モータや油圧）の必要容量も大きくなる。
【００１５】
この発明の目的は、保持器を用いて非脱落形式としながら、総ころ形式と同程度のころ本数を有することを可能にし、滑り軸受や他のころ軸受の各種の課題を解消して、燃料ポンプのプランジャ駆動機構に使用するのに適したころ軸受を提供することである。
【課題を解決するための手段】
【００１６】
この発明における第１の発明にかかる燃料ポンプ用ころ軸受は、外輪と、この外輪の転走面に接する複数のころと、リング状の保持器とを有し、前記保持器は円周方向に並ぶ複数のポケットを有するころ軸受において、前記保持器の各ポケット間の柱部が各ころ間で前記ころを内径側から保持し、前記柱部の外径が、ころ配列のピッチ円直径よりも小径であり、偏心カムでプランジャを往復動させてこのプランジャをポンプ室に出入りさせることで燃料を送り出す燃料ポンプにおける、前記偏心カムとプランジャとの間に使用され、前記各ころが偏心カムの外周面に転接し、前記外輪に前記プランジャの端部を当接させるものであることを特徴とする。
【００１７】
また、この発明における第２の発明にかかる燃料ポンプ用ころ軸受は、第１の発明において、回転カムでプランジャを往復動させてこのプランジャをポンプ室に出入りさせることで燃料を送り出す燃料ポンプにおける、前記偏心カムとプランジャとの間に使用され、前記プランジャの先端に設けられた軸の外周面に前記各ころが転接し、前記外輪に前記回転カムの周面に転接するものである。
【００１８】
上記第１および第２の発明の構成によると、保持器の柱部が、ころを内径側から保持するものであり、その柱部の外径を、ころ配列のピッチ円直径よりも小径としたため、保持器柱部がころ配列のピッチ円上に存在しないものとできる。そのため、柱部によってころの配列間隔が広がらず、保持器を用いてころ非脱落形式としながら、総ころ形式と同程度のころ本数を有するものとできる。このため、小さな軸受サイズでありながら、十分な定格荷重と外輪強度を得ることができ、燃料ポンプのプランジャ駆動機構に使用するのに適したものとなる。加えて、次の各利点が得られる。
（１）  滑り軸受（コーティングの有無関係なし）と比べ、低フリクションである。このため、動力源（モータや油圧）の必要容量を小さくできる。
（２）  滑り軸受（樹脂コーティング品）のようにコーティング膜剥がれや摩耗することがなく、摩耗等によるガタツキが発生することが無い。
（３）  総ころ軸受並みのころ本数を保持できることから、ころところの間隔が小さいので、外輪強度を大きくできる。
（４）  総ころ軸受並みのころ本数を保持できることから、負荷容量が増大し、小さな軸受サイズでも十分な定格荷重を得ることができる。耐荷重性能が良好であるので、例えば転走面や転動面に圧痕が生じることによって、作動時に異音や振動が発生することを防止できる。
（５）  外輪強度が向上することから、外輪の肉厚を薄くでき、軸受およびその周辺部品をコンパクト化、軽量化できる。
（６）  組込みころを非脱落にて保持できることから、脱落タイプ総ころ軸受に対して、組立性が向上する。
（７）  ころを非脱落にできることから、Ｃ端面ころを使用する必要が無く、Ｆ端面、Ａ端面ころ（有効接触長さの長いころ）を使用できる。このため、幅寸法を小さくすることができる。また、低コストとなる。
（８）  ころを非脱落にできることから、熱固化性グリースにより、ころを非脱落にする必要が無い。このため、潤滑を自由に選べ、かつ使用温度範囲が広くなり、かつ低フリクションとなる。低フリクションであるので、動力源（モータや油圧）の必要容量を小さくできる。
【００１９】
この発明において、前記保持器の柱部の横断面形状を、内径部よりも外径側の部分が外径側へ先狭まりとなる形状としても良い。例えば、略三角形状としても良い。
ころ配列における隣合うころ間の隙間は、内径側が次第に大きくなる三角形状の隙間となるため、ころ間の間隔を広げることなく柱部の断面積を大きくするには、柱部を外径側へ先狭まりとなる断面形状とすることが好ましい。しかし、柱部の幅が最も広がる最内径部は、ころ表面に沿って広げず、略一定幅としてころ表面と柱部との隙間を広げることにより、潤滑油の流れの阻害が回避でき、潤滑性の低下が防止される。
【００２０】
この発明において、前記保持器の外径面の縁部を、テーパ状または断面円弧状の先狭まり形状としても良い。
先狭まり形状に構成することにより、組立時のころ配列の内側への保持器の挿入をより円滑に行うことができ、組立性がさらに向上する。
【００２１】
この発明において、保持器の材質を合成樹脂製としても良い。保持器が合成樹脂であると、保持器にある程度の弾性が得られるため、軸受組立時に保持器を変形させることができ、保持器あるいはころの組み込みが容易に行える。
保持器を合成樹脂製とする場合に、前記合成樹脂を、非強化のもの、または強化繊維を３０ｗｔ％以下添付したものとしても良い。強化繊維にはカーボンファイバやグラスファイバ等が好ましい。
【００２２】
この発明において、ころ本数を総ころ形式としたものと同じか、または２本以下の本数だけ少なくしても良い。
この発明のころ軸受は、保持器の柱部を、ころを内径側から保持するものとしたため、非脱落形式としながらも、保持器柱部がころ配列のピッチ円上に存在しないものとできる。そのため、柱部によってころの配列間隔が広がらず、総ころ形式と同じ本数、あるいは１本または２本少ない本数だけのころ数を有するものとできる。
【００２３】
上記保持器の内径寸法は、ころ配列の内接円径の最大径よりも０．１mm以上大きくすることが好ましい。ころ配列の内接円径は、各ころを外輪の転走面に接するように配列した場合の内接円径のことである。各ころが転接する軸表面に対して０．１mm以上の隙間があると、保持器が強く接触することがなく、保持器によって摩擦トルクが増大することが回避される。また、潤滑油の流れの阻害も回避でき、潤滑性の低下を防止できる。
【００２４】
また、上記保持器の外径寸法を、ころ配列のピッチ円直径よりも０．１mm以上小さくすることが好ましい。これにより、保持器柱部がころ配列のピッチ円上に存在しないものとできる。そのため、柱部によってころの配列間隔が広がらず、保持器を用いて非脱落形式としながら、総ころ形式と同じ程度のころ本数を有するものとできる。また、ころと保持器の柱部との間の潤滑油の流れの阻害も回避でき、潤滑性の低下を防止できる。
【発明の効果】
【００２５】
この発明の燃料ポンプころ用軸受は、外輪と、この外輪の転走面に接する複数のころと、リング状の保持器とを有し、前記保持器は円周方向に並ぶ複数のポケットを有するころ軸受において、前記保持器の各ポケット間の柱部が各ころ間で前記ころを内径側から保持し、前記柱部の外径が、ころ配列のピッチ円直径よりも小径であり、偏心カムでプランジャを往復動させてこのプランジャをポンプ室に出入りさせることで燃料を送り出す燃料ポンプにおける、前記偏心カムとプランジャとの間に使用され、前記各ころが偏心カムの外周面に転接し、前記外輪に前記プランジャの端部を当接させるものとするか、または、回転カムでプランジャを往復動させてこのプランジャをポンプ室に出入りさせることで燃料を送り出す燃料ポンプにおける、前記偏心カムとプランジャとの間に使用され、前記プランジャの先端に設けられた軸の外周面に前記各ころが転接し、前記外輪に前記回転カムの周面に転接するものとしたため、保持器を用いて非脱落形式としながら、総ころ形式と同程度のころ本数を有することを可能にし、滑り軸受や他のころ軸受の各種の課題を解消して、燃料ポンプのプランジャ駆動機構に使用するのに適したころ軸受となった。
【発明を実施するための最良の形態】
【００２６】
この発明の第１の実施形態を図１ないし図４と共に説明する。この燃料ポンプ用ころ軸受１０は、図１または図２に示す燃料ポンプのプランジャ駆動機構に使用される。図１のプランジャ駆動機構は、図６のプランジャ駆動機構に本発明の燃料ポンプ用ころ軸受を適用したものである。また、図２のプランジャ駆動機構は、図７のプランジャ駆動機構に本発明の燃料ポンプ用ころ軸受を適用したものである。これら図１、図２のプランジャ駆動機構の基本構成は、図６、図７に示すものと同一であるので、同一構成箇所については同一符号を付して、説明を省略する。
【００２７】
図３に示すように、この実施形態の針状ころ軸受１０は、外輪１と、この外輪１の内径面からなる転走面１ａに接する複数のころ２と、リング状の保持器３とを有する。図１のプランジャ駆動機構ではカムリング２５が外輪１であり、図２のプランジャ駆動機構ではローラ３７が外輪１である。保持器３は円周方向に並ぶ複数のポケット４を有し、各ポケット４間の柱部５が、各ころ２の間にあって上記ころ２を内径側から保持するものとする。
【００２８】
外輪１は、両側に鍔部１ｂを有している。外輪１は、シェル型のもの、つまり鋼板のプレス成形品とされている。ころ２は軸受鋼等の鋼製とされている。
【００２９】
保持器３は、ポリアミド（例えばＰＡ６６，ＰＡ４６）、またはポリアセタール等の弾性変形可能な合成樹脂製とされている。保持器３は、これらの合成樹脂を、非強化の状態、あるいはカーボンファイバやグラスファイバ等の強化繊維を３０％以下添加した状態のものとして使用することにより、軸受寸法や軸受用途等に応じた適度の強度と柔軟性を持たせたものとしてある。
【００３０】
保持器３は、幅方向の両端がリング状部６とされ、両側のリング状部６の間に柱部５を円周方向に複数設けたものである。各柱部５の間の空間が、ころ２の入るポケット４となる。
【００３１】
保持器３の柱部断面形状は略三角形状とする。保持器３の内径寸法ｄ３ｉは、ころ配列の内接円径の最大径ｄ２ｉよりも０．１mm以上大きくする。この０．１mmの寸法は、軸受サイズにかかわらず、この値以上であることが好ましい。保持器３の柱部５の並びの外径寸法ｄ３ｏは、ころ配列のピッチ円直径ＰＣＤよりも小さくする。例えば、ピッチ円直径ＰＣＤよりも０．１mm以上小さくする。このピッチ円直径ＰＣＤよりも小さくする寸法は、軸受寸法等に応じて設計される所定割合以上としても良い。保持器３の柱部５の太さＢは、ころ径Ｄｗの１５〜３０％とすることが好ましい。
【００３２】
図４（Ａ）〜（Ｃ）に保持器柱部５の横断面形状の各例を示す。保持器柱部５の横断面形状は、例えば最内径部５ａが略一定幅の部分とされ、この最内径部５ａより外径側の部分５ｂが外径側へ先狭まりとなる形状とされる。外径側部分５ｂの先端部は、例えば角部または全体が円弧状に丸められた形状とされている。外径側部分５ｂの側面５ｂａは、例えば図４（Ａ）のように横断面が直線状となる形状、または同図（Ｂ）のようなころ２の外径面に略応じた凹曲面形状、または同図（Ｃ）のような凸曲面形状等とされる。柱部５の最内径部５ａの側面５ａａは、横断面が直線状となる形状であっても、また円弧状等の凸曲面となる形状であっても良い。柱部５の最内径部５ａは、必ずしも断面形状が略一定幅でなくても良く、例えば円弧状に湾曲していて最内径部５ａにおける中間部分が最も突出する形状や、また内径側の柱幅が狭まる形状であっても良い。
【００３３】
上記構成のころ軸受１０によると、保持器３の柱部５がころ２を内径側から保持するものとし、その柱部形状を略三角形としたため、保持器柱部５がころ配列のピッチ円直径ＰＣＤ上に存在しないものとすることができる。そのため、柱部５によってころ２の配列間隔が広がらず、総ころ形式と同じころ本数あるいは１〜２本少ないころ本数を有するものとできる。例えば、従来のころ軸受に比べて、ころ本数が１０〜５０％増となる。また、上記柱部５の強度が確保される。
【００３４】
この実施形態のころ軸受１０の場合、さらに次の各利点が得られる。
例えば、保持器３の内径寸法ｄ３ｉを、ころ配列の内径円径ｄ２ｉの最大径よりも０．１ｍｍ以上大きくしたため、軸と保持器３との間に０．１mm以上の隙間が生じる。そのため、軸に保持器３が強く接触することがなく、保持器３によって摩擦トルクが増大することが回避される。
保持器３の上記柱部５の並びの外径寸法ｄ３ｏは、ころ配列のピッチ円直径ＰＣＤよりも小さくし、その小さくする程度を、例えば上記ピッチ円直径ＰＣＤよりも０．１mm以上小さくしたため、ころ配列の間隔を広げる必要がなく、また柱部５の横断面における最外径部の幅が薄くなり過ぎて強度不足になることが回避される。
上記保持器３の柱部５の横断面形状を、最内径部５ａが略一定幅の部分とされ、この最内径部５ａよりも外径側の部分５ｂが外径側へ先狭まりとなる形状としたため、ころ２の間の間隔を広げることなく柱部５の断面積を大きくでき、かつ潤滑性にも優れる。すなわち、ころ配列における隣合うころ２の間の隙間は、内径側が次第に大きくなる三角形状の隙間となるため、ころ間の間隔を広げることなく柱部５の断面積を大きくするには、柱部５を外径側へ先狭まりとなる三角形状の断面形状とすることが好ましい。しかし、柱部５の幅が最も広がる最内径部５ａは、ころ表面に沿って広げずに、略一定幅としてころ表面と柱部表面との隙間を広げることにより、潤滑油の流れの阻害が回避でき、潤滑性の低下が防止できる。また、柱部５に無駄部分が生じず、樹脂材料が節減される。
【００３５】
図５は、この発明における他の実施形態を示す。この実施形態の燃料ポンプ用ころ軸受１０は、外輪１を鋼材の削り出し品とし、保持器３を両側のリング部６が柱部５よりも外側へ厚くなる形状としたものである。その他の構成は、図１ないし図４に示す前記実施形態と同じである。この構成の場合も、前記実施形態で示した各作用、効果が得られる。
【図面の簡単な説明】
【００３６】
【図１】（Ａ）はこの発明の実施形態にかかる燃料ポンプ用ころ軸受を備えた燃料ポンプのプランジャ駆動機構の一例の断面図、（Ｂ）はそのＩＢ−ＩＢ断面図である。
【図２】（Ａ）は同燃料ポンプ用ころ軸受を備えた燃料ポンプのプランジャ駆動機構の異なる例の断面図、（Ｂ）はそのIIＢ−IIＢ断面図である。
【図３】（Ａ）は同燃料ポンプ用ころ軸受の部分縦断面図、（Ｂ）はその部分横断面図である。
【図４】柱部の各種断面形状例の説明図である。
【図５】この発明の異なる実施形態にかかる燃料ポンプ用ころ軸受の部分縦断面図である。
【図６】（Ａ）は従来の燃料ポンプ用ころ軸受を備えた燃料ポンプのプランジャ駆動機構の一例の断面図で、（Ｂ）はそのVIＢ−VIＢ断面図である。
【図７】（Ａ）は同燃料ポンプ用ころ軸受を備えた燃料ポンプのプランジャ駆動機構の異なる例の断面図、（Ｂ）はそのVIIＢ−VIIＢ断面図である。
【符号の説明】
【００３７】
１…外輪
１ａ…転走面
２…ころ
３…保持器
４…ポケット
５…柱部
１０…針状ころ軸受
２０，３０…ケーシング
２１，２６，３１，３６…滑り軸受
２２，３２…駆動軸
２３…偏心カム
２４，３４…プランジャ
２５…カムリング
３３…回転カム
３５…ローラ軸
３７…ローラ
Ｄｗ…ころ径
ＰＣＤ…ころ配列のピッチ円直径
ｄ２ｉ…ころ配列の内接円径の最大径
ｄ３ｉ…保持器の内径寸法
ｄ３ｏ…柱部の並びの外径寸法
【図１】
2007270628.tif 000003
【図２】
2007270628.tif 000004
【図３】
2007270628.tif 000005
【図４】
2007270628.tif 000006
【図５】
2007270628.tif 000007
【図６】
2007270628.tif 000008
【図７】
2007270628.tif 000009